(57)【要約】【課題】発信予約が可能な時間帯が変更になった場合でも、発信がいつ実施されるのかを発信端末に正確に通知する。【解決手段】発信端末と前記発信端末からの発信予約の処理を行う回線交換局からなる発信予約システムであって、前記回線交換局は、前記発信端末からの発信予約に関する情報を登録する予約情報記録部と、前記発信予約に関する情報に基づいて発信予約の処理を管理する発信予約管理部と、前記発信予約に関する情報に基づいて発信を開始する時刻を算出し、前記発信予約に関する情報の変化に基づいて前記発信を開始する時刻を再計算する発信開始時間算出部と、前記発信を開始する時刻を前記発信端末に送信する通信部と、を備え、前記発信端末は、前記回線交換局から前記発信を開始する時刻を受信して表示を行う。【選択図】図２
2013162368.tif 000002
【特許請求の範囲】
【請求項１】
発信端末と前記発信端末からの発信予約の処理を行う回線交換局からなる発信予約システムであって、
前記回線交換局は、
前記発信端末からの発信予約に関する情報を登録する予約情報記録部と、
前記発信予約に関する情報に基づいて発信予約の処理を管理する発信予約管理部と、
前記発信予約に関する情報に基づいて発信を開始する時刻を算出し、前記発信予約に関する情報の変化に基づいて前記発信を開始する時刻を再計算する発信開始時間算出部と、
前記発信を開始する時刻を前記発信端末に送信する通信部と、を備え、
前記発信端末は、
前記回線交換局から前記発信を開始する時刻を受信して表示を行う
発信予約システム。
【請求項２】
前記発信開始時間算出部は、発信予約済みの端末数および１通話あたりの通話制限時間に基づいて前記発信を開始する時刻を算出する
請求項１記載の発信予約システム。
【請求項３】
前記発信開始時間算出部は、前記発信端末ではない他の端末から登録された発信予約がキャンセルになった場合には前記発信を開始する時刻を再計算し、前記発信端末は、前記回線交換局から再計算された前記発信を開始する時刻を受信して表示を行う
請求項２記載の発信予約システム。
【発明の詳細な説明】
【技術分野】
【０００１】
本発明は、無線通信システムにおいて通話規制が行われた場合の発信予約システムに関するものである。
【背景技術】
【０００２】
発信予約システムに関して、発信予約を登録済みの発信端末において発信がいつ実施されるのかを知る手段がないことが従来課題として挙げられていた。これに対して、特許文献１に記載の発信予約システムでは、発信予約済みの端末数を発信端末に対して通知することで発信予約状況を伝えていた。また、特許文献２に記載の発信予約システムでは、発信予約が可能な加入者か否かを回線交換局において判断し、発信端末へ発信予約が可能な時間帯を通知していた。
【先行技術文献】
【特許文献】
【０００３】
【特許文献１】特開２００９−１４１４０９号公報
【特許文献２】特開２００４−１２０１３６号公報
【発明の概要】
【発明が解決しようとする課題】
【０００４】
特許文献１に記載の発信予約システムでは、発信予約済みの端末数のみを発信端末に対して通知しているため、発信がいつ実施されるのかを正確に知ることができなかった。また特許文献２に記載の発信予約システムでは、発信予約が可能な時間帯を通知してもらうことができるが、通話チャネルに空きが生じている状況でもその時間帯を変更して通知をしてもらうことができなかった。
【０００５】
本発明の目的は、通話チャネルに空きが生じた状況などで発信予約が可能な時間帯が変更できるような場合でも、発信がいつ実施されるのかを発信端末に通知できる発信予約システムを提供することにある。
【課題を解決するための手段】
【０００６】
本発明は、発信端末と前記発信端末からの発信予約の処理を行う回線交換局からなる発信予約システムであって、前記回線交換局は、前記発信端末からの発信予約に関する情報を登録する予約情報記録部と、前記発信予約に関する情報に基づいて発信予約の処理を管理する発信予約管理部と、前記発信予約に関する情報に基づいて発信を開始する時刻を算出し、前記発信予約に関する情報の変化に基づいて前記発信を開始する時刻を再計算する発信開始時間算出部と、前記発信を開始する時刻を前記発信端末に送信する通信部と、を備え、前記発信端末は、前記回線交換局から前記発信を開始する時刻を受信して表示を行う構成を有している。
【発明の効果】
【０００７】
本発明の発信予約システムによれば、発信予約済みの端末数の変化に応じた発信開始時間を算出して発信端末に通知するため、発信予約が可能な時間帯が変更できるような場合でも、発信がいつ実施されるのかを発信端末に正確に通知できる。
【図面の簡単な説明】
【０００８】
【図１】本発明の実施の形態における発信予約の処理シーケンスを示す図
【図２】本発明の実施の形態における発信予約システムの構成を示す図
【図３】本発明の実施の形態における発信予約登録処理のフローチャート
【図４】本発明の実施の形態における予約情報記録部の予約リストの例を示す図
【発明を実施するための形態】
【０００９】
以下に、本発明の実施の形態について、図面を参照しながら説明する。
【００１０】
図１は本実施の形態における発信予約の処理シーケンス図、図２は本実施の形態における発信予約システムの構成を示す図である。
【００１１】
まず発信端末２１１が発信要求を回線交換局２０１に対して実施する（Ｓ１０１）。回線交換局２０１では、輻輳中のためすぐに着信端末へ接続することができない場合には発信予約をするかどうかを発信端末２１１へ確認する（Ｓ１０２）。
【００１２】
そして、発信端末２１１は発信予約を行うか否かを回線交換局２０１に対して回答し（Ｓ１０３）、発信予約を行う場合には回線交換局２０１は発信予約を受け付ける（Ｓ１０４）。回線交換局２０１は、発信を開始する時刻を発信開始時間算出部２０５において計算して発信端末２１１へ通知し（Ｓ１０５）、受け付けた発信予約に応じて回線を順次接続していく。
【００１３】
発信予約の順番が回ってくると、回線交換局２０１は着信端末２１２が接続可能な状態であるか否かを確認する（Ｓ１０６）。着信端末２１２が接続可能である場合は、着信端末２１２から回線交換局２０１に接続可能であることを回答する（Ｓ１０７）。着信端末２１２が接続可能である場合、回線交換局２０１は発信端末２１１および着信端末２１２の双方に発信を行い接続を開始する（Ｓ１０８）。
【００１４】
回線交換局２０１では、発信端末２１１と着信端末２１２との間の音声通話があらかじめ設定された通話制限時間を過ぎていないかどうかを監視する（Ｓ１０９）。通話制限時間が過ぎた場合には、回線交換局２０１はその音声通話を強制的に切断する（Ｓ１１０）。
【００１５】
発信端末２１１は発信側基地局２０９を、着信端末２１２は着信側基地局２１０をそれぞれ経由して回線交換局２０１と通信を行う。
【００１６】
回線交換局２０１は、通話規制の有無や規制量を管理する輻輳状態管理部２０４、発信予約情報を記録する予約情報記録部２０２、輻輳状態管理部２０４および予約情報記録部２０２からの情報に基づいて発信予約の処理を管理する発信予約管理部２０３、通話時間を計算する通話時間タイマー部２０７、発信予約管理部２０３および通話時間タイマー部２０７からの情報に基づいて音声通信の接続を制御する接続制御部２０６、予約情報記録部２０２および発信予約管理部２０３からの情報により発信を開始する時刻を算出する発信開始時間算出部２０５、発信側基地局２０９および着信側基地局２１０との通信を実施する通信部２０８を備えている。
【００１７】
図３は本実施の形態における発信予約登録処理のフローチャートであり、発信端末２１１と回線交換局２０１との間で発信予約の処理を行って、発信端末２１１に発信開始時間を表示させるまでの処理手順を示したものである。
【００１８】
まず、発信端末２１１から回線交換局２０１に発信要求を送信する（Ｓ３０１）。それを受けて回線交換局２０１における発信予約管理部２０３では輻輳中かどうかを判断する（Ｓ３０２）。Ｓ３０２において輻輳中でないと判断した場合は、通常の発信接続を実施して処理を終了する（Ｓ３０３）。Ｓ３０２において輻輳中であると判断した場合は、発信予約を実施するかどうかを発信端末２１１に対して確認する（Ｓ３０４）。
【００１９】
発信端末２１１では、発信予約を実施するかどうかを判断する（Ｓ３０５）。ここで発信予約を実施するかどうかの判断は、発信端末２１１の利用者が逐次行っても良いし、予め実施の可否をユーザが設定しておいても構わない。Ｓ３０５において発信予約を実施すると判断した場合、発信端末２１１から回線交換局２０１に対して発信予約要求を送信する（Ｓ３０６）。
【００２０】
発信予約管理部２０３では、発信端末２１１から送信された発信予約要求を受信すると（Ｓ３０７）、発信端末２１１が既に発信予約を登録しているかどうかを予約情報記録部２０２に要求して確認する（Ｓ３０８）。予約情報記録部２０２は発信端末２１１の発信予約状況を検索し（Ｓ３０９）、発信予約が登録されているかどうかの情報を発信予約管理部２０３に送信する（Ｓ３１０）。
【００２１】
発信予約管理部２０３は、予約情報記録部２０２から送信された情報に基づいて、発信端末２１１が既に発信予約済みかどうかを判断する（Ｓ３１１）。Ｓ３１１において、発信端末２１１は発信予約済みと判断した場合は、その発信予約状況を回線交換局２０１から発信端末２１１に通知する（Ｓ３１２）。ここで、発信予約状況には発信開始時間および着信先端末情報が含まれている。そして発信端末２１１では、Ｓ３１２において通知された発信予約状況が表示される（Ｓ３１３）。
【００２２】
一方、Ｓ３１１において、発信端末２１１の発信予約がされていないと判断した場合は、発信予約の登録要求を予約情報記録部２０２へ送り（Ｓ３１４）、予約情報記録部２０２は発信端末２１１の発信予約を登録する（Ｓ３１５）。そして予約情報記録部２０２は発信予約済みの端末数を発信開始時間算出部２０５へ通知する（Ｓ３１６）。
【００２３】
発信開始時間算出部２０５は、予約情報記録部２０２から通知された発信予約済みの端末数と予め定められた１通話あたりの通話制限時間より、発信が可能となる時刻である発信開始時間を算出する。例えば、予約６１番目で１通話あたりの通話制限時間が２分だった場合は、発信が可能となる時刻は現時刻から１２０分後となる。そして回線交換局２０１は発信予約の登録が完了した旨および発信が可能となる時刻を発信端末２１１へ送信し（Ｓ３１８）、発信端末２１１では、Ｓ３１８において送信された発信開始時間を含む発信予約状況が表示される（Ｓ３１９）。
【００２４】
図４は本実施の形態における予約情報記録部の予約リストの例を示す図である。輻輳中の予約リストは（イ)予約リスト状態１であるとする。予約リストには予約番号と発信端末番号と着信端末番号を記録する。
【００２５】
端末番号Xから端末番号Yへの発信予約を新たに受け付けた場合、予約リストは（イ)予約リスト状態１から（ロ)予約リスト状態2へ遷移する。（ロ）予約リスト状態２では最下位の予約番号「６１」に発信端末番号と着信端末番号を記録した例を示している。この際、発信開始時間算出部２０５には予約番号が通知される。次に、予約番号１の発信が終了した場合には、予約リストは（ロ)予約リスト状態２から（ハ)予約リスト状態３へと遷移し、予約番号は１つずつ繰り上がって更新される。このように、予約情報記録部２０２では、発信予約の受付時に発信予約情報の登録および予約番号の通知を実施し、発信予約による発信の完了時には、発信が完了した発信予約情報の削除と予約番号の更新を行う。
【００２６】
また、本実施の形態による発信予約システムでは、他の端末から登録された発信予約がキャンセルになった場合には、発信開始時間を繰り上げて発信端末２１１に通知することが可能である。
【００２７】
発信予約がキャンセルになった場合には、予約情報記録部２０２においてキャンセルになった予約番号より下位の予約番号をそれぞれ繰り上げて更新して発信開始時間算出部２０５に対して通知を行う。そして発信開始時間算出部２０５では、更新された予約番号を利用して、発信端末ごとに当該発信端末より以前に発信予約された端末数と１通話あたりの通話制限時間とに基づいて発信開始時間を再計算する。再計算された発信開始時間は各発信端末に対して通知される。
【００２８】
以上のように本実施の形態にかかる発信予約システムによれば、発信予約済みの端末数の変化に応じた発信開始時間を算出して発信端末に通知するため、発信予約が可能な時間帯が変更できるような場合でも、発信がいつ実施されるのかを発信端末に正確に通知できる。
【産業上の利用可能性】
【００２９】
本発明の発信予約システムは、発信がいつ実施されるのかを発信端末に正確に通知できるため、携帯電話サービス等の無線通信システムに適用することが可能である。
【符号の説明】
【００３０】
２０１    回線交換局
２０２    予約情報記録部
２０３    発信予約管理部
２０４    輻輳状態管理部
２０５    発信開始時間算出部
２０６    接続制御部
２０７    通話時間タイマー部
２０８    通信部
２０９    発信側基地局
２１０    着信側基地局
２１１    発信端末
２１２    着信端末
【図１】
2013162368.tif 000003
【図２】
2013162368.tif 000004
【図３】
2013162368.tif 000005
【図４】
2013162368.tif 000006